(57)【要約】【課題】ユーザ操作を要することなく、ラジオ放送で受信した楽曲のうちの、ユーザにとってダウンロードすることが有意な楽曲についての楽曲識別情報を記憶する「オーディオ装置」を提供する。【解決手段】制御部１９は、車載オーディオ装置１がＨＤＤ１３や、接続されたポータブル記憶装置２や、接続されたポータブルオーディオプレイヤ３や、装着されたＣＤやＤＶＤなどのリムーバブルメディアなどの、ローカルなロケーションからアクセス可能なオーディオファイルやオーディオトラックの楽曲のタグ情報を、メモリ２０のローカル楽曲管理テーブルに登録する。また、制御部１９は、ラジオ放送受信機でタグ情報を受信したならば、受信したタグ情報と同じ楽曲のタグ情報がローカル管理テーブルに登録されているかどうかを調べ、登録されていなければ、ポータブルオーディオプレイヤ３のタギングテーブルに受信したタグ情報を登録する。【選択図】図１
2009277307.tif 000002
【特許請求の範囲】
【請求項１】
放送中のオーディオ信号が表す楽曲の識別を表す楽曲識別情報を伴うラジオ放送を受信するラジオ受信機と、
楽曲のオーディオデータを記憶した記録装置と、
音声を再生出力する再生出力手段と、
ユーザからラジオ放送の受信を指示されたときに、前記再生出力手段に前記ラジオ受信機が前記ラジオ放送から受信したオーディオ信号が表す音声を再生出力させ、ユーザから前記記録装置に記録されたオーディオデータの再生を指示されたときに、前記再生出力手段に前記記録装置に記録された前記再生を指示されたオーディオデータが表す音声を再生出力させる出力制御手段と、
前記再生出力手段に前記ラジオ受信機が受信したオーディオ信号が表す音声を再生出力させているときに、当該ラジオ受信機が前記ラジオ放送から受信した前記楽曲識別情報が識別を表す楽曲が、前記記録装置にオーディオデータが記録されている楽曲でない場合に、当該楽曲識別情報を保存する楽曲識別情報保存手段とを有することを特徴とするオーディオ装置。
【請求項２】
請求項１記載のオーディオ装置であって、
前記記録装置は、当該時点において当該オーディオ装置からアクセス可能な、ポータブル型の記録装置またはオーディオ再生装置またはリムーバブルメディアを含むことを特徴とするオーディオ装置。
【請求項３】
請求項１または２記載のオーディオ再生装置であって、
前記記録装置は、当該時点において当該オーディオ装置からアクセス可能な、ポータブル型の記録装置またはオーディオ再生装置を含み、
前記楽曲識別情報保存手段は、前記楽曲識別情報を、前記ポータブル型の記録装置またはオーディオ再生装置に保存することを特徴とするオーディオ装置。
【発明の詳細な説明】
【技術分野】
【０００１】
本発明は、ラジオ受信機を備えたオーディオ装置において、ユーザが、ラジオ放送で聴いた楽曲のオーディオデータを容易に取得できるように支援する技術に関するものである。
【背景技術】
【０００２】
ラジオ受信機を備えたオーディオ装置において、ユーザが、ラジオ放送で聴いた楽曲のオーディオデータを容易に取得できるように支援する技術としては、ラジオ放送で楽曲と共に放送される、放送受信中の楽曲を特定する楽曲識別情報を、所定のユーザ操作が発生したときに記憶しておき、後に、ユーザからダウンロードの実行を指示されたときに、各種楽曲のオーディオデータを提供するサーバにアクセスし、記憶しておいた楽曲識別情報に基づいて、当該楽曲識別情報で特定される楽曲のオーディオデータをダウンロードする技術が知られている（たとえば、特許文献１）。
【特許文献１】特開2002-319226号公報
【発明の開示】
【発明が解決しようとする課題】
【０００３】
さて、車載のオーディオ装置において、前記特許文献１記載の技術を適用する場合、楽曲識別情報を記憶するときにユーザ操作が必要となるが、このようなユーザ操作は、運転者であるユーザが右左折時などの運転操作に専念する必要がある期間中には行わせないことが好ましい。
【０００４】
一方で、放送受信した楽曲の楽曲識別情報の全てについて自動的に記憶するようにすれば、楽曲受信中のユーザ操作は必ずしも必要なくなるが、このようにすると、ユーザにとって、オーディオデータを取得する意味のない楽曲についての楽曲識別情報も数多く記憶されてしまうことになる。
【０００５】
そこで、本発明は、ラジオ受信機を備えたオーディオ装置において、ユーザ操作を要することなく、放送受信した楽曲のうちの、ユーザにとって、後のオーディオデータの取得対象となり得る楽曲についてのみ、各楽曲を特定する楽曲識別情報を記憶することを課題とする。
【課題を解決するための手段】
【０００６】
前記課題達成のために、本発明は、放送中のオーディオ信号が表す楽曲の識別を表す楽曲識別情報を伴うラジオ放送を受信するラジオ受信機と、楽曲のオーディオデータを記憶した記録装置と、音声を再生出力する再生出力手段と、ユーザからラジオ放送の受信を指示されたときに、前記再生出力手段に前記ラジオ受信機が前記ラジオ放送から受信したオーディオ信号が表す音声を再生出力させ、ユーザから前記記録装置に記録されたオーディオデータの再生を指示されたときに、前記再生出力手段に前記記録装置に記録された前記再生を指示されたオーディオデータが表す音声を再生出力させる出力制御手段と、前記再生出力手段に前記ラジオ受信機が受信したオーディオ信号が表す音声を再生出力させているときに、当該ラジオ受信機が前記ラジオ放送から受信した前記楽曲識別情報が識別を表す楽曲が、前記記録装置にオーディオデータが記録されている楽曲でない場合に、当該楽曲識別情報を保存する楽曲識別情報保存手段とをオーディオ装置に備えたものである。
【０００７】
ここで、このようなオーディオ装置において、前記記録装置は、当該時点において当該オーディオ装置からアクセス可能な、ポータブル型の記録装置またはオーディオ再生装置またはリムーバブルメディアを含むものであってもよい。
また、このようなオーディオ再生装置において、前記記録装置に、当該時点において当該オーディオ装置からアクセス可能な、ポータブル型の記録装置またはオーディオ再生装置を含めた場合、前記楽曲識別情報保存手段は、前記楽曲識別情報を、前記ポータブル型の記録装置またはオーディオ再生装置に保存するものとしてもよい。
【０００８】
これらのオーディオ装置によれば、ラジオ放送で受信した楽曲のうちの、オーディオ装置がアクセス可能な記録装置にオーディオデータが記憶されていない楽曲についてのみ、自動的に楽曲識別情報を保存する。ここで、オーディオ装置がアクセス可能な記録装置にオーディオデータが記憶されている楽曲は、ユーザがオーディオデータを既に取得している楽曲であるので、これらの楽曲については、オーディオデータを取得するために楽曲識別情報を保存することは無意味であると考えられる。よって、本発明によれば、ユーザ操作を要することなく、ユーザにとって、後のオーディオデータの取得対象となり得る楽曲についてのみ、楽曲識別データを取得することができるようになる。
【発明の効果】
【０００９】
以上のように、本発明によれば、ラジオ受信機を備えたオーディオ装置において、ユーザ操作を要することなく、放送受信した楽曲のうちの、ユーザにとって、後のオーディオデータの取得対象となり得る楽曲についてのみ、各楽曲を特定する楽曲識別情報を記憶することができるようになる。
【発明を実施するための最良の形態】
【００１０】
以下、本発明の実施形態を説明する。
図１に、本実施形態に係る車載オーディオ装置１の構成を示す。
車載オーディオ装置１は自動車に搭載されるものであり、ラジオ受信機１１、ＣＤやＤＶＤディスクを再生するリムーバブルディスクドライブ１２、ＨＤＤ１３、外部インタフェース１４、オーディオ処理部１５、スピーカ１６、操作部１７、表示部１８、制御部１９、メモリ２０とを備えている。
【００１１】
そして、外部インタフェース１４には、メモリカードやUSBメモリ装置などのポータブル記憶装置２や、ポータブルオーディオプレイヤ３などを選択的に接続することができる。ここで、ポータブルオーディオプレイヤ３は、内蔵したＨＤＤや半導体メモリに楽曲のオーディオファイルを記録し、記録したオーディオファイルの再生処理を行う携帯型の装置である。また、ポータブルオーディオプレイヤ３は、単独使用時には、オーディオファイルの再生処理において、当該オーディオファイルに格納されたオーディオデータが表す音声を、ポータブルオーディオプレイヤ３に備えられている音声出力端子に再生出力し、車載オーディオ装置１との接続時には、オーディオファイルの再生処理において、当該オーディオファイルのオーディオデータを車載オーディオ装置１へ出力する。
【００１２】
次にラジオ受信機１１は、タギング用のタグ情報を伴うデジタルラジオ放送を受信するラジオ受信機１１であり、タグ情報は、現在、デジタルラジオ放送で放送中の楽曲を特定するための情報である。ここで、本実施形態では、各楽曲のタグ情報として、楽曲のアルバム名、タイトル、アーティスト、ジャンルなどの楽曲の書誌的属性を表す情報を用いる。
【００１３】
また、オーディオ処理部１５は、入力するオーディオデータが表す音声をスピーカ１６に出力する処理を行う。
そして、このような構成において制御部１９は、操作部１７のユーザ操作によってオーディオソースとしてラジオ受信機１１が設定されているときには、操作部１７のユーザ操作に応じて、ラジオ受信機１１の受信チャネルを設定する。一方、ラジオ受信機１１は、設定された受信チャネルのラジオ放送の放送信号をフロントエンド１１１で受信し、復調/分離部１１２において、フロントエンド１１１で受信した放送信号を、オーディオデータとタグ情報とに復調/分離し、オーディオデータについては、オーディオ処理部１５に出力し、タグ情報については、制御部１９からのアクセスに応じて制御部１９に出力する。また、制御部１９は、オーディオ処理部１５に、ラジオ受信機１１が出力するオーディオデータが表す音声をスピーカ１６に出力させる。
【００１４】
また、制御部１９は、操作部１７のユーザ操作によって外部インタフェース１４に接続されたポータブル記憶装置２や、リムーバブルディスクドライブ１２に装着されたＣＤやＤＶＤや、ＨＤＤ１３に記録されているオーディオファイルの再生が指示された場合、再生が指示されたオーディオファイルのオーディオデータを読み出して、オーディオ処理部１５に出力すると共に、オーディオ処理部１５に、当該提供したオーディオデータが表す音声をスピーカ１６から出力させる。なお、各オーディオファイルには、当該オーディオファイルにオーディオデータが格納されている楽曲の前述したタグ情報が含まれている。
【００１５】
また、制御部１９は、操作部１７のユーザ操作によって外部インタフェース１４に接続されたポータブルオーディオプレイヤ３の再生を指示された場合、オーディオ処理部１５に、ポータブルオーディオプレイヤ３から車載オーディオ装置１に入力するオーディオデータが表す音声をスピーカ１６に出力させる。なお、ポータブルオーディオプレイヤ３には、楽曲のオーディオデータを格納したオーディオファイルが記憶されており、各オーディオファイルには、当該オーディオファイルにオーディオデータが格納されている楽曲の前述したタグ情報が含まれている。また、ポータブルオーディオプレイヤ３には、当該ポータブルオーディオプレイヤ３に記憶されているオーディオファイルに含まれるタグ情報を当該オーディオファイルを識別するためのファイル識別情報と共に管理するデータベースが格納されており、ポータブルオーディオプレイヤ３は、制御部１９からのアクセスに応じてデータベースで管理しているタグ情報とファイル識別情報とを制御部１９に出力する。
【００１６】
また、制御部１９は、リムーバブルディスクドライブ１２にオーディオファイルを記憶しているＣＤやＤＶＤが装着された場合や、ポータブル記憶装置２が接続された場合に、これらＣＤやＤＶＤやポータブル記憶装置２に記憶されているオーディオファイルを読み出してＨＤＤ１３に記録するオーディオファイル読み込み処理や、リムーバブルディスクドライブ１２にＣＤ-ＤＡが装着された場合に、ＣＤ-ＤＡに記録されているオーディオトラックのオーディオデータを読み出して、タグ情報を付加してオーディオファイルとして記録するリッピング処理なども行う。なお、リッピング処理において付加するタグ情報は、予めＨＤＤ１３に記憶しておいた、各市販ＣＤ-ＤＡのオーディオトラックと当該オーディオトラックの曲のタグ情報との対応を登録したＣＤＤＢから取得する。
【００１７】
次に、車載オーディオ装置１のメモリ２０には、車載オーディオ装置１においてアクセス可能な全オーディオファイルのタグ情報が登録されるローカル楽曲管理テーブルと、ラジオ受信機１１がデジタルラジオ放送で受信した楽曲のタグ情報のうち、車載オーディオ装置１においてアクセス可能なオーディオファイルにオーディオデータが格納されている楽曲以外の楽曲のタグ情報が登録されるテンポラリタギングテーブルが格納される。また、ポータブルオーディオプレイヤ３には、タギングテーブルが外部からアクセス可能に格納されている。
【００１８】
ここで、図２ａに、車載オーディオ装置１のメモリ２０に登録されるローカル楽曲管理テーブルを示す。
図示するように、ローカル楽曲管理テーブルは、車載オーディオ装置１においてローカルなロケーションからアクセス可能な各オーディオファイル毎に対応して設けたエントリを有し、各エントリには、対応するオーディオファイルにオーディオデータが格納されている楽曲のタグ情報と、対応するオーディオファイルの位置を示すファイルパスが登録される。
【００１９】
次に、図２ｂにポータブルオーディオプレイヤ３に格納されるタギングテーブルを示す。
図示するようにタギングテーブルは、タグ情報と処置済フラグとダウンロード済フラグとよりなるエントリを複数登録することができる。ここで、詳細は後述するが、タギングテーブルに登録された各タグ情報は、当該タグ情報が表す楽曲のオーディオファイルの取得に利用されるものである。
【００２０】
以下、制御部１９が、ユーザの、ラジオ放送で聴いた楽曲のオーディオファイルの取得の支援のために行う処理について説明する。
すなわち、本実施形態において制御部１９は、ローカル楽曲管理テーブル作成処理と、タギング情報取得処理と、タギング情報転送処理を行う。
まず、ローカル楽曲管理テーブル作成処理について説明する。
図示するように、この処理では、ＨＤＤ１３に新たなオーディオファイルが記憶されたならば（ステップ３０２）、記憶されたオーディオファイルのエントリをローカル楽曲管理テーブルに作成し、作成したエントリに記憶されたオーディオファイルのタグ情報とファイルパスを登録する（ステップ３１８）。
【００２１】
また、ポータブルオーディオプレイヤ３の接続が発生した場合には（ステップ３０４）、ポータブルオーディオプレイヤ３からポータブルオーディオプレイヤ３に格納されている各オーディオファイルのタグ情報とファイル識別情報を取得し、取得した各タグ情報の各々に対応するエントリをローカル楽曲管理テーブルに作成し、作成したエントリに、対応するタグ情報を登録すると共に、ファイル識別情報をポータブルオーディオプレイヤ３内のパスと見なしたファイルパスを登録する（ステップ３２０）。
【００２２】
また、リムーバブルディスクドライブ１２へのＣＤやＤＶＤなどのリムーバブルメディアの新たな装着が発生した場合には（ステップ３０６）、リムーバブルメディアに記憶されている各オーディオファイルに対応するエントリをローカル楽曲管理テーブルに作成し、作成したエントリに対応するオーディオファイルのタグ情報とファイルパスを登録する（ステップ３２２）。但し、リムーバブルディスクドライブ１２に装着されたリムーバブルメディアがオーディオトラックを記憶したＣＤ-ＤＡである場合には、各オーディオトラックに対応するエントリをローカル楽曲管理テーブルに作成し、作成したエントリに登録するタグ情報としては、ＣＤＤＢから取得した当該オーディオトラックのタグ情報を登録し、作成したエントリに登録するファイルパスとしては、当該オーディオトラックのトラック番号をＣＤ-ＤＡ内のパスと見なしたファイルパスを登録する。
【００２３】
また、ポータブル記憶装置２の接続が発生した場合には（ステップ３０８）、接続されたポータブル記憶装置２に記憶されている各オーディオファイルに対応するエントリをローカル楽曲管理テーブルに作成し、作成したエントリに対応するオーディオファイルのタグ情報とファイルパスを登録する（ステップ３２４）。
【００２４】
また、ＨＤＤ１３からオーディオファイルが消去されたならば（ステップ３１０）、消去オーディオファイルのエントリをローカル楽曲管理テーブルから消去する（ステップ３２６）。
また、ポータブルオーディオプレイヤ３の取り外しが発生した場合には（ステップ３１２）、ポータブルオーディオプレイヤ３内の位置を示すファイルパスが登録された全てのエントリをローカル楽曲管理テーブルから消去する（ステップ３２８）。
また、リムーバブルディスクドライブ１２からのＣＤやＤＶＤなどのリムーバブルメディアの取り外しが発生した場合には（ステップ３１４）、リムーバブルメディア内の位置を示すファイルパスが登録された全てのエントリをローカル楽曲管理テーブルから消去する（ステップ３３０）。
【００２５】
また、ポータブル記憶装置２の取り外しが発生した場合には（ステップ３１６）、ポータブル記憶装置２に記憶されている各オーディオファイル内の位置を示すファイルパスが登録された全てのエントリをローカル楽曲管理テーブルから消去する（ステップ３３２）。
以上、制御部１９が行うローカル管理テーブル作成処理について説明した。
【００２６】
このようなローカル管理テーブル作成処理によれば、ローカル管理テーブルの内容を、その時点において車載オーディオ装置１がローカルなロケーションからアクセス可能なオーディオファイルやオーディオトラック、すなわち、ユーザが既にオーディオデータを取得している楽曲についてのエントリのみが登録されたものに維持することができる。
【００２７】
なお、このようなローカル楽曲管理テーブルは、車載オーディオ装置１において、ユーザからの再生するオーディオファイルの受付などの、オーディオファイルの各種操作にも用いられる。
次に、タギング情報取得処理について説明する。
図４に、タギング情報取得処理の手順を示す。
ここで、このタギング情報取得処理は、オーディオソースとしてラジオ受信機１１が設定されているときにのみ行われる。
さて、図示するように、この処理では、制御部１９は、ラジオ受信機１１の復調/分離部１１２にアクセスして最新に受信したタグ情報を取得することにより、ラジオ受信機１１における新規タグ情報（前回受信のタグ情報と異なるタグ情報）の受信の発生を監視する（ステップ４０２）。
【００２８】
そして、新規タグ情報の受信が発生したならば、受信したタグ情報とメモリ２０のローカル楽曲テーブルの各エントリのタグ情報を比較することにより、受信したタグ情報が示す楽曲（放送受信中の楽曲）と同じ楽曲のオーディオファイルのエントリがローカル楽曲テーブルに登録されているかどうかを調べる（ステップ４０４）。
【００２９】
そして、登録されていればステップ４０２の監視に戻り、登録されていなければ、さらに、受信したタグ情報とメモリ２０のテンポラリタギングテーブルに登録されているタグ情報を比較することにより、受信したタグ情報が示す楽曲（放送受信中の楽曲）と同じ楽曲のタグ情報がテンポラリタギングテーブルに登録されているかどうかを調べる（ステップ４０６）。
【００３０】
そして、登録されていればステップ４０２の監視に戻り、登録されていなければ、テンポラリタギングテーブルに受信したタグ情報を登録する（ステップ４０８）。そして、ステップ４０２の監視に戻る。
以上、制御部１９が行うタギング情報取得処理について説明した。
このようなタギング情報取得処理によれば、ユーザがラジオ受信機１１を用いて聴いた楽曲のタグ情報のうちの、ユーザが既にオーディオデータを取得している楽曲（ローカル楽曲管理テーブルにタグ情報が登録されている楽曲）を除く楽曲のタグ情報がテンポラリタギングテーブルに登録されることになる。
【００３１】
なお、以上のタギング情報取得処理は、ラジオ受信機１１で受信したタグ情報に登録されているジャンルやアーティストが、予め設定されたジャンルやアーティストと一致する場合であって、当該タグ情報が登録されたエントリがローカル楽曲管理テーブルとテンポラリタギングテーブルに登録されていない場合にのみ、当該タグ情報をテンポラリタギングテーブルに登録するものとしてもよい。また、この場合における、ジャンルやアーティストの設定は、ユーザから指定されたものを設定してもよいし、ローカル楽曲管理テーブルに登録されているタグ情報のいずれかに登録されているアーティストや、ローカル楽曲管理テーブルに登録されているタグ情報に登録されている頻度が高いジャンルを自動的に算定して設定するようにしてもよい。
【００３２】
次に、制御部１９が行うタギング情報転送処理について説明する。
図５に、このタギング情報転送処理の手順を示す。
図示するようにこの処理では、まず、現在、ポータブルオーディオプレイヤ３が接続中であるかどうかを調べ（ステップ５０２）、接続中でなければ、ポータブルオーディオプレイヤ３が接続されるのを待つ（ステップ５１２）。
一方、ポータブルオーディオプレイヤ３が接続中であれば（ステップ５０２）、テンポラリタギングテーブルに新たにタグ情報が登録されるのを待ち（ステップ５０４）、新たにタグ情報が登録されたならば、新たに登録されたタグ情報と、ポータブルオーディオプレイヤ３のタギングテーブルの各エントリのタグ情報を比較することにより、新たに登録されたタグ情報と同じ楽曲のタグ情報が登録されたエントリがタギングテーブルに登録されているかどうかを調べる（ステップ５０６）。
【００３３】
そして、登録されていれば（ステップ５０６）ステップ５１０に進んで、新たに登録されたタグ情報をテンポラリタギングテーブルから消去し、ステップ５０２の処理に戻る。一方、新たに登録されたタグ情報と同じ楽曲のタグ情報が登録されたエントリがタギングテーブルに登録されていなければ、タギングテーブルに新たなエントリを作成し、作成したエントリに、テンポラリタギングテーブルに新たに登録されたタグ情報を登録する（ステップ５０８）。また、このとき、作成したエントリの処置済フラグとダウンロード済フラグは共にオフに設定する。
【００３４】
そして、タギングテーブルに登録したタグ情報をテンポラリタギングテーブルから消去し（ステップ５１０）、ステップ５０２の処理に戻る。
一方、ステップ５０２でポータブルオーディオプレイヤ３が接続中でないとして、ステップ５１２に進んだ場合において、ポータブルオーディオプレイヤ３の接続が発生した場合には、その時点においてテンポラリタギングテーブルに登録されている各タグ情報を順次着目するタグ情報として（ステップ５１４、５２２、５２４）、以下の処理を行う。
【００３５】
すなわち、着目するタグ情報と、ポータブルオーディオプレイヤ３のタギングテーブルの各エントリのタグ情報を比較することにより、着目するタグ情報と同じ楽曲のタグ情報が登録されたエントリがタギングテーブルに登録されているかどうかを調べる（ステップ５１６）。そして、登録されていれば（ステップ５１６）、着目するタグ情報をテンポラリタギングテーブルから消去し（ステップ５２０）、当該着目するタグ情報についての処理を終了する。
【００３６】
一方、着目するタグ情報と同じ楽曲のタグ情報が登録されたエントリがタギングテーブルに登録されていなければ（ステップ５１６）、タギングテーブルに新たなエントリを作成し、作成したエントリに、着目するタグ情報を登録する（ステップ５１８）。また、このとき、作成したエントリの処置済フラグとダウンロード済フラグは共にオフに設定する。
【００３７】
そして、着目するタグ情報をテンポラリタギングテーブルから消去し（ステップ５２０）、当該着目するタグ情報についての処理を終了する。
そして、テンポラリタギングテーブルに登録されている全てのタグ情報について以上のステップ５１６-５２０の処理が終了したならば（ステップ５２２）、ステップ５０２の処理に戻る。
以上、制御部１９が行うタギング情報取得処理とタギング情報転送処理について説明した。
このようなタギング情報取得処理とタギング情報転送処理によれば、ユーザがラジオ受信機１１を用いて聴いた楽曲のタグ情報のうちの、ユーザが既にオーディオデータを取得している楽曲（ローカル楽曲管理テーブルにタグ情報が登録されている楽曲）を除く楽曲のタグ情報を、ポータブルオーディオプレイヤ３のタギングテーブルに登録することができるようになる。
【００３８】
ここで、オーディオ装置がアクセス可能な記憶装置にオーディオデータが記憶されている楽曲は、ユーザがオーディオデータを既に取得している楽曲であるので、これらの楽曲については、オーディオファイルを取得するためにタグ情報をタギングテーブルに保存することは無意味であると考えられる。よって、本実施形態によれば、ユーザ操作を要することなく、ユーザにとって、後のオーディオファイルの取得対象となり得る楽曲についてのみ、タグ情報を取得してタギングテーブルに格納することができるようになる。
【００３９】
以上、本実施形態に係る車載オーディオ装置１について説明した。
次に、以上のようにしてタグ情報が登録されるポータブルオーディオプレイヤ３のタギングテーブルを用いた、オーディオファイルの取得の動作について説明する。
さて、ユーザは、ポータブルオーディオプレイヤ３のタギングテーブルを用いてオーディオファイルを取得する場合、まず、ポータブルオーディオプレイヤ３を自宅等に所持する、インターネットに接続可能なパーソナルコンピュータに接続し、パーソナルコンピュータのダウンロード支援処理を起動する。
【００４０】
パーソナルコンピュータは、ハードウエアの構成としては、ＣＰＵやメモリ２０や主記憶や表示装置や入力装置や通信装置などの汎用的なコンピュータとしての構成を備えており、ＣＰＵの所定のコンピュータプログラムの実行により、図６に示すような機能構成が、パーソナルコンピュータ上に実現されるものである。
【００４１】
すなわち、図６は、パーソナルコンピュータの機能構成を示すものであり、図示するようにパーソナルコンピュータ４は、ポータブルオーディオプレイヤ３を接続する外部インタフェース４１、入力装置４２、表示装置４３、オーディオファイルを格納するＨＤＤ４４、ＨＤＤ４４やポータブルオーディオプレイヤ３に格納されたオーディオファイルを再生しスピーカ４６に出力するミュージックプレイヤ４５、前述したダウンロード支援処理を行うダウンロード支援部４７、インターネット５を介したインターネット５上の各種サーバとの通信を行う通信制御部４８とを有している。
【００４２】
そして、インターネット５上には、各種楽曲のオーディオファイルを保持し、パーソナルコンピュータ４からの、タグ情報を伴うダウンロード要求に応じて、ダウンロード要求に伴うタグ情報の楽曲のオーディオファイルを検索し、ダウンロード要求元のパーソナルコンピュータ４に送信するダウンロードサーバ６が設けられている。
【００４３】
ここで、図７に、ダウンロード支援部４７が行うダウンロード支援処理の手順を示す。
図示するように、この処理では、まず、ポータブルオーディオプレイヤ３からタギングテーブルを読み込み（ステップ７０２）、タギングテーブルの各エントリのうちのエントリの処置済フラグがオフに設定されている各エントリのタグ情報の一覧を表した、図８に示すようなダウンロード受付画面を、表示装置に表示する（ステップ７０４）。
【００４４】
そして、表示したダウンロード受付画面上で、タグ情報毎に設けたチェックボックス８０１、８０２のチェックにより、ダウンロードする楽曲の選択と（ステップ７０６）、次回から表示しない楽曲の選択を受け付ける（ステップ７０８）。
そして、ダウンロード受付画面のキャンセルボタン８０３の操作によりキャンセルが指示されたならば（ステップ７１０）、そのまま処理を終了する。
一方、ダウンロード受付画面のダウンロード実行ボタン８０４の操作により、ダウンロード実行が指示された場合には（ステップ７１２）、ポータブルオーディオプレイヤ３に格納されているタギングテーブルの、ユーザからの次回から表示しない楽曲としての選択を受け付けた楽曲のタグ情報が登録されているエントリの処置済フラグをオンに設定する（ステップ７１４）。なお、次回から表示しない楽曲としての選択を受け付けた楽曲が存在しない場合には、そのままステップ７１６に進む。
【００４５】
そして、ユーザからのダウンロードする楽曲としての選択を受け付けた楽曲がなければ（ステップ７１６）、そのまま処理を終了し、ダウンロードする楽曲としての選択を受け付けた楽曲が存在すれば、通信制御部４８、インターネット５を介してダウンロードサーバ６にアクセスし、ユーザからのダウンロードする楽曲としての選択を受け付けた楽曲のタグ情報を伴うダウンロード要求をダウンロードサーバ６に送信することにより、当該楽曲のオーディオファイルをダウンロードサーバ６からＨＤＤ４４にダウンロードする（ステップ７１８）。そして、ポータブルオーディオプレイヤ３に格納されているタギングテーブルの、ユーザからのダウンロードする楽曲としての選択を受け付けた楽曲のタグ情報が登録されているエントリの処置済フラグをオンすると共にダウンロード済フラグをオンに設定し（ステップ７２２）、処理を終了する。
以上の処理の結果、ダウンロード受付画面でダウンロードする楽曲として選択を受け付けた楽曲のオーディオファイルがＨＤＤ４４にダウンロードされる。また、ダウンロード受付画面でダウンロードする楽曲として選択を受け付けた楽曲と、ダウンロード受付画面で次回から表示しない楽曲として選択を受け付けた楽曲のタグ情報は、次回のダウンロード支援処理からは、ダウンロード受付画面に表示されないことになる。
【００４６】
以上、本発明の実施形態について説明した。
なお、以上の実施形態ではタギングテーブルの格納にポータブルオーディオプレイヤ３を用いたが、これに代えて、ポータブル記憶装置２をタギングテーブルの格納に用いるようにしても良い。
また、以上の実施形態では、タギングテーブルを用いたオーディオファイルのダウンロードをパーソナルコンピュータ４において行うようにしたが、これは、車載オーディオ装置１にオーディオファイルのダウンロード機能を設けて車載オーディオ装置１において行うようにしてもよい。また、この場合には、タギングテーブルは、ＨＤＤ１３に記憶するようにするのがよい。また、この場合には、タギング情報転送処理は行わずに、テンポラリタギングテーブルをタギングテーブルとして用いるようにしてもよい。
【図面の簡単な説明】
【００４７】
【図１】本発明の実施形態に係る車載オーディオ装置の構成を示すブロック図である。
【図２】本発明の実施形態に係るローカル楽曲管理テーブルとタギングテーブルを示す図である。
【図３】本発明の実施形態に係るローカル楽曲管理テーブル作成処理を示すフローチャートである。
【図４】本発明の実施形態に係るタギング情報取得処理を示すフローチャートである。
【図５】本発明の実施形態に係るタギング情報転送処理を示すフローチャートである。
【図６】本発明の実施形態に係るパーソナルコンピュータの機能構成を示すブロック図である。
【図７】本発明の実施形態に係るダウンロード支援処理を示すフローチャートである。
【図８】本発明の実施形態に係るパーソナルコンピュータの表示画面例を示す図である。
【符号の説明】
【００４８】
１…車載オーディオ装置、２…ポータブル記憶装置、３…ポータブルオーディオプレイヤ、４…パーソナルコンピュータ、５…インターネット、６…ダウンロードサーバ、１１…ラジオ受信機、１２…リムーバブルディスクドライブ、１３…ＨＤＤ、１４…外部インタフェース、１５…オーディオ処理部、１６…スピーカ、１７…操作部、１８…表示部、１９…制御部、２０…メモリ、４１…外部インタフェース、４２…入力装置、４３…表示装置、４４…ＨＤＤ、４５…ミュージックプレイヤ、４６…スピーカ、４７…ダウンロード支援部、４８…通信制御部、１１１…フロントエンド、１１２…復調/分離部。
【図１】
2009277307.tif 000003
【図２】
2009277307.tif 000004
【図３】
2009277307.tif 000005
【図４】
2009277307.tif 000006
【図５】
2009277307.tif 000007
【図６】
2009277307.tif 000008
【図７】
2009277307.tif 000009
【図８】
2009277307.tif 000010